(57)【要約】【課題】  筋力・腕力にたよらず、体重を利用し濡れた布巾を絞る用具を提供する。【解決手段】  二枚の挟み板を有する器具のそれぞれの一端を蝶番・ロープ・囲み器具で自在開閉できる係合を設け、下側に相当する板の絞り部端部裏側にずれ防止フックを設け、上部挟み板の後端部上面には、複数の滑り止めを有する受圧台座が設けられている。【選択図】図１
2018057779.tif 000002
【特許請求の範囲】
【請求項１】
上部挟み板と下部挟み板のそれぞれの先端部を回転ヒンヂ部で連結し上部挟み板の後端部には受圧台座を設け、下部挟み板の後端部にずれ防止フックを設けた事を特徴とする布巾絞り用具。
【請求項２】
前記ずれ防止部材は流し台の縁に係合する凹嵌部を設けたことを特徴とする請求項１記載の布巾絞り用具。
【発明の詳細な説明】
【技術分野】
【０００１】    本発明は濡れた布巾を絞る用具を固着せずに使用する為の部品形状を工夫した布巾を絞る用具に関するものである。
【背景技術】
【０００２】    濡れたタオルや布巾を絞る方法として圧縮して脱水する方法は知られている（特許文献１，２参照、）。また、濡れ布巾をひねり脱水する方法（特許文献３参照）や、ひねる力を低減化する方法も知られている（特許文献４参照）。まお、ゆずなどの絞り汁を生産する為の器具として類似の道具も古くから知られている（特許文献５参照）。
【先行技術文献】
【特許文献】
【０００３】
【特許文献１】  特開２０１３−２２４４０号公報
【特許文献２】  登録実用新案第３０６２７７５号公報
【特許文献３】  特開２０００−２８３６４８号公報
【特許文献４】  特開２０１４−１５９８９８号公報
【特許文献５】  特開平８−１６４０６２号公報
【発明の概要】
【発明が解決しようとする課題】
【０００４】    濡れた布巾を脱水することは、握力・捻り力が弱い障害者や高齢者にとって大変な作業である。布巾を脱水する器具又は用具を使用する場合は、用具に強い力を加える必要がある。そのために特定の場所に設置する必要があったり、強く固定しておく必要があったり、搾った汁を更に排除処理する必要があったり、多数回繰り返し加圧動作を行う必要があったりする。この発明は、上記の問題点を解決するための絞り器具（以下「用具」という）の提供を目的とするものである。
【課題を解決するための手段】
【０００５】      この発明は、上下二枚の挟み板を有する用具のそれぞれの先端部を蝶番・ロープ・囲み部材等で自在に開閉出来る回動ヒンジ部で連結し、上部挟み板の後端部上面には受圧台座を設け、下部挟み板の後端部裏面には、ずれ防止用のフックを設けて絞り圧縮動作時に用具がシンク縁から滑り落ちないようにしたものである。挟み板相互の最小隙間を設け、絞る毎に少しずつ濡れ布巾を奥に差し込みテコによる絞り力が強い部分で絞る事が出来る。収納時水切りを兼ねてつるして乾燥させる時、挟み板の開き防止に磁石などの吸着材を設けると効果的である。
【発明の効果】
【０００６】      この発明によれば、この用具は必要時のみ固定せずシンクの内側に持ち込み使用し、かつシンク縁に引っかけて操作するので受圧台座に強く体重を加えても滑り移動することがなく絞り動作が行える。しかも、絞られた廃液はシンク内を流れ去るので後処理も全くいらない、しかも一度あるいは二度程度の動作で絞り操作が済むので簡便である。
【図面の簡単な説明】
【０００７】
【図１】  この発明の第１の実施例の説明用斜視図である。
【図２】  この発明の第２の実施例の説明用斜視図である。
【図３】  この発明の第３の実施例の説明用斜視図である。
【図４】  この発明の他の実施例の部分説明図である。
【図５】  この発明の第１の実施例を台所シンク内に配置したときの斜視図である。
【発明を実施するための形態】
【０００８】    以下にこの発明の実施例に基づいて実施の形態を説明するが、以下の説明において、同一の機能を有する部材や部位、構成については、同一の符号を付し、或いは説明を省略することがある。
【０００９】    図１は、この発明の絞り用具の第１の実施例の説明用斜視図で、１は絞り用具全体を示している。２は上部挟み板、３は下部挟み板、６は回動ヒンジ部で、上部挟み板２の先端部２ａと下部挟み板３の先端部３ａを連結し、自在に開閉出来る係合連結部として蝶番を使用した回動ヒンジ部６を構成している。上部挟み板２の後端部上面には、複数の滑り止め４ａを有する受圧台座４が設けられている。下部挟み板３の後端部裏面には、ずれ防止用の凹嵌部５ａを有するフック５が設けられている。フック５は、この発明の絞り用具１を使用するシンクの縁の形状や大きさに応じて設計されるが、好ましくは８０ｍｍ〜１００ｍｍの幅と２０ｍｍ〜３０ｍｍの深さを有する凹部を形成して使用する。なお、１１，１２は上部挟み板２と下部挟み板３の固定用磁石である。
【００１０】    図２は、第２の実施例を示しており、回動ヒンジ部６をロープ７で連結して構成したものである。上部挟み板２と下部挟み板３の先端部にそれぞれ設けられた貫通孔にロープ７を通してある。ロープ７は、ワイヤーロープが好ましいが強度さえ十分であれば特に材質にこだわる必要は無い。
【００１１】    図３は、第３の実施例を示しており、回動ヒンジ部６はＣ形溝受け部８を下部挟み板３に固着して構成したものである。上部挟み板２の先端部にＲ形突起尾根９を設ける。このＲ形突起尾根９部をＣ形溝８ａに挿入して回転ヒンヂ機構とする。Ｃ形溝受け部８は、金属製が好ましいが強度さえ十分であれば木質あるいはプラスチック製など材質にこだわる必要は無い。
【００１２】    図４は、第４の実施例を示しており、下部挟み板３の後端部裏面にずれ防止用の金属線による凹嵌機能を有する金属線製フック１０が設けられている例である。
【００１３】    図５は、第５の実施例を示しており、絞り用具の使用状況の説明用斜視図である。流し台Ｓの流し台縁１１に絞り用具１のずれ防止用の凹嵌部５ａを係合した状態の図で、上部挟み板２と下部挟み板３の間に濡れ布巾を挟み水平状態に近い受圧台座４に体重をかけても滑り移動することがなく絞り動作が行えるようになっている。
受圧台座４に手を乗せて体重をかけることにより、上部挟み板２と下部挟み板３の間に挟まれた濡れ布巾は、用具本体がすべり移動することなく、安定した絞り動作を行うことができる。
【産業上の利用可能性】
【００１４】    この方法による装置は握力・捻り力の弱い障害者や高齢者の使用のみならず、濡れ布巾の使用頻度が高いレストラン・ガソリンスタンドなどでの使用も可能である。
【符号の説明】
【００１５】１・・・布巾絞り用具本体
２・・・上部挟み板
２ａ・・上部挟み板２の先端部
３・・・下部挟み板
３ａ・・下部挟み板３の先端部
４・・・受圧台座
４ａ・・複数の滑り止め
５・・・フック
５ａ・・ずれ防止用の凹嵌部
６・・・回動ヒンジ部
７・・・ロープ
８・・・Ｃ形溝受け部
８ａ・・Ｃ形溝
９・・・Ｒ形突起尾根
１０・・金属線製フック
１１・・流し台縁
１２・・下部挟み板用磁石
１３・・上部挟み板用磁石
Ｓ・・・流し台
【図１】
2018057779.tif 000003
【図２】
2018057779.tif 000004
【図３】
2018057779.tif 000005
【図４】
2018057779.tif 000006
【図５】
2018057779.tif 000007